(57)【要約】【課題】略Ｌ形板状ワークを収納箱内に複数枚効率良く収納し、ワークを対称的に収納し、正逆向きを変えて配置したワーク相互を上下に離間し相互に接触することなく確実、位置決め、保持を確実に行ない収納することができるワークの収納装置を提供したい。【解決手段】段ボール紙製の収納箱１０の底部に配置され、所定ピッチを開けて横並びした複数の板状部材からなり、収納箱内の下部に収納されるの略Ｌ形の下位の板状ワークＷ１の横片Ｗ１ａを支持する櫛歯状の下位の横保持部材１と、収納箱の前後の内壁の一方に配置され、略Ｌ形の下位の板状ワークの上向きの縦片を支持する櫛歯状の下位の縦保持部材５と、収納箱の高さ方向中間部に横架され、ワークＷ１と対称に配置され、収納箱の上位に収納され、所定ピッチを開けて横並びした複数の上位のＬ形の板状ワークＷ２の上位の横片Ｗ２ａを、下方から支持する櫛歯状の棚部材１９と、上位のワークの下向きの縦片Ｗ２ｂを支持し、収納箱の前後の内壁に他方に配置した櫛歯状の上位の縦保持部材とからなるワークの収納装置。【選択図】        図４
2004299687.tif 000002
【特許請求の範囲】
【請求項１】
段ボール紙製の収納箱の底部に配置され、所定ピッチを開けて横並びした複数の板状部材からなり、該収納箱内の下部に収納されるの略Ｌ形の下位の板状ワークの横片を支持する櫛歯状の下位の横保持部材と、
前記収納箱の前後の内壁の一方に配置され、前記略Ｌ形の下位の板状ワークの上向きの縦片を支持する櫛歯状の下位の縦保持部材と、
前記収納箱の高さ方向中間部に横架され、前記ワークと対称に配置され、該収納箱の上位に収納され、所定ピッチを開けて横並びした複数の上位の略Ｌ形の板状ワークの上位の横片を、下方から支持する櫛歯状の棚部材と、
該上位のワークの下向きの縦片を支持し、収納箱の前後の内壁に他方に配置した櫛歯状の上位の縦保持部材と、
からなることを特徴とする略Ｌ形板状ワークの収納装置。
【請求項２】
前記下位の横保持部材、上位の棚部材、上位の縦保持部材は、夫々櫛歯状部分を２列平行して有することを特徴とする請求項１記載の略Ｌ形板状ワークの収納装置。
【請求項３】
前記棚部材は、前記収納箱の左右の側壁に凹状部に折曲した支持片でその両端部を支持するようにしたことを特徴とする請求項１に記載の略Ｌ形板状ワークの収納装置。
【請求項４】
前記棚部材の上方に、前記上位のワークの横片の上部を支持する櫛歯状の上保持部材を前記収納箱の上部に横架設置したことを特徴とする請求項１に記載の略Ｌ形板状ワークの収納装置。
【請求項５】
前記上位のワークの横片の先部を下方から支持する先部棚部材を前記下位のワークの下位の縦片保持部材の上方に配置したことを特徴とする請求項１に記載の略Ｌ形板状ワークの収納装置。
【請求項６】
前記上位のワークの下向きの縦片の縦保持部材は、前記収納箱の内壁の一部に一体に設けた支持部で支持するようにしたことを特徴とする請求項１記載の略Ｌ形板状ワークの収納装置。
【請求項７】
前記上位のワークの先部棚部材は、前記収納箱の内壁の一部に一体に設けた支持部で支持するようにしたことを特徴とする請求項５記載の略Ｌ形板状ワークの収納装置。
【発明の詳細な説明】
【０００１】
【発明の属する技術分野】
本発明は、自動車のフェンダの如き略Ｌ形の板状ワークを複数枚効率良く、相互に傷つけることなく収納する収納装置に関する。
【０００２】
【従来の技術】
自動車のフェンダのような板状の略Ｌ形のワークを収納する方法として、複数枚のワークを収納箱内に向きを対称として収納する方法が知られている。（例えば特許文献１参照）
【０００３】
【特許文献１】
特開平８−５８７７５号公報（［０００７］〜［０００９］図１、図２）
【０００４】
特許文献１は、自動車のフェンダの収納方法に係り、収納箱１（公報中の符合を用いる。以下同じ）内にＬ形として複数枚横並べしたワークＷ（フェンダ）を凸部２ａを設けたストッパ部材２を介して縦に収納し、ワークＷの一辺側Ｗ１上にパット部材３を載せ、この上から逆Ｌ形に複数枚横並べしたワークＷをＬ形ワークＷの間に個々が挟入するように縦に収納するものである。
【０００５】
【発明が解決しようとする課題】
以上の従来技術は、正逆向きを変えた複数枚のフェンダを上下に離間させることなく、相互に正向きのフェンダ間に逆向きのフェンダを近接して挟入させているので、フェンダ相互が近接し、収納箱の運搬の振動や衝撃でフェンダ相互が接触し、傷付く虞がある。
またストッパ部材２の表面、凸部２ａが平坦な横桟状であり、またパット部材は上下面とも平坦な角筒状であり、複数枚並置したフェンダの辺部分と単に接触しているだけなので、収納したフェンダの位置決め、拘束、保持が不確実なる虞があり、収納箱内で収容されたフェンダが、振動や衝撃で踊り、フェンダ相互が傷付く虞がある。
【０００６】
本発明は、以上の従来技術の課題を解決すべくなされたもので、本発明の目的とする処は、フェンダのようなＬ形板状ワークを収納箱内に複数枚効率良く収納し、且つワークを対称的に収納しつつ、正逆向きを変えて配置したワーク相互を上下に離間して相互に接触することなく確実に、位置決め、保持を確実に行ないつつ収納することができる略Ｌ形板状ワークの収納装置を提供する。
また、全てを段ボール紙のみで構成し、使用後の後処理が環境に優しく、使用後の再使用、再生上も有利であり、環境上においても好ましい略Ｌ形板状ワークの収納装置を提供する。
【０００７】
【課題を解決するための手段】
上記目的を達成するために請求項１は、段ボール紙製の収納箱の底部に配置され、所定ピッチを開けて横並びした複数の板状部材からなり、該収納箱内の下部に収納されるの略Ｌ形の下位の板状ワークの横片を支持する櫛歯状の下位の横保持部材と、前記収納箱の前後の内壁の一方に配置され、前記略Ｌ形の下位の板状ワークの上向きの縦片を支持する櫛歯状の下位の縦保持部材と、前記収納箱の高さ方向中間部に横架され、前記ワークと対称に配置され、該収納箱の上位に収納され、所定ピッチを開けて横並びした複数の上位の略Ｌ形の板状ワークの上位の横片を、下方から支持する櫛歯状の棚部材と、該上位のワークの下向きの縦片を支持し、収納箱の前後の内壁に他方に配置した櫛歯状の上位の縦保持部材とからなることを特徴とする。
【０００８】
請求項１では、複数枚のワークを横並びした下位のワーク群の個々のワークは、櫛歯状の下位の横保持部材と縦保持部材とで、横片部及び縦片部を凹状係合することで位置決めされて確実に保持され、また下位とは逆向き対称に配置した上位のワークは、収納箱に横架された櫛歯状の棚部材と上位の縦保持部材に横片部及び縦片部を凹状係合することで位置決めされて確実に保持され、上下のワークは向きを逆、対称に配置しつつ上下に離間して相互に接触することなく収納箱内に収納される。
【０００９】
請求項２は、請求項１において、前記下位の横保持部材、上位の棚部材、上位の縦保持部材は、夫々櫛歯状部分を２列平行して有することを特徴とする。
【００１０】
請求項２では、下位の横保持部材、上位の棚部材、上位の縦保持部材は、夫々櫛歯状部分を２列平行して有するので、上下のワークの横片、縦片は辺の２カ所で凹状係合され、位置決め、保持が確実になされる。
【００１１】
請求項３は、請求項１において、前記棚部材は、前記収納箱の左右の側壁に凹状部に折曲した支持片でその両端部を支持するようにしたことを特徴とする。
【００１２】
請求項３では、棚部材は、収納箱の左右の側壁に凹状部に折曲した支持片でその両端部を支持するようにしたので、収納箱の高さ方向中間部に確実に架設され、また棚部材は収納箱の側壁を折曲することで、支持されるので、棚部材の支持部材を別途必要としない。
【００１３】
請求項４は、請求項１において、前記棚部材の上方に、前記上位のワークの横片の上部を支持する櫛歯状の上保持部材を前記収納箱の上部に横架設置したことを特徴とする。
【００１４】
請求項４では、棚部材の上方に上位のワークの横片の上部を支持する櫛歯状の上保持部材を収納箱の上部に横架設置したので、棚部材で支持された上位のワークの横片の上部は上保持部材で凹状係合保持される。
【００１５】
請求項５は、前記上位のワークの横片の先部を下方から支持する先部棚部材を前記下位のワークの下位の縦片保持部材の上方に配置したことを特徴とする。
【００１６】
請求項５は、先部棚部材で上位のワークの横片の先部を下方から支持するので、該ワークの横片の支持が確実になされる。
【００１７】
請求項６は、請求項１において、前記上位のワークの下向きの縦片の縦保持部材は、前記収納箱の内壁の一部に一体に設けた支持部で支持するようにしたことを特徴とする。
【００１８】
請求項６では、上位のワークの下向きの縦片の縦保持部材は、収納箱の内壁の一部に一体に設けた支持部で支持するので、収納箱の壁の一部を折曲等して支持部を形成して支持することができる。
【００１９】
請求項７は、請求項５において、前記上位のワークの先部棚部材は、前記収納箱の内壁の一部に一体に設けた支持部で支持するようにしたことを特徴とする。
【００２０】
請求項７は、収納箱内において、上位のワークの先部棚部材を収納箱の内壁の一部に一体に設けた支持部で支持するようにしたので、支持部は収納箱の壁の一部を折曲等して形成することができる。
【００２１】
【発明の実施の形態】
本発明の実施の形態を添付図に基づいて以下に説明する。なお、図面は符号の向きに見るものとする。
図１は、下位のワークの横保持部材及び縦保持部材の斜視図である。
横保持部材１は平面視矩形の横基板２、これの左右方向に固定、設置され、前後に離間した横桟状の櫛歯状部分３，４を有する。櫛歯状部分３，４には、長さ方向（図の左右方向）に所定ピッチで凹部３ａ…（…は複数を表す。以下同じ），４ａ…が上方から下方に潜るように形成されている。凹部３ａ…，４ａ…は前後で同一位置に設けられている。櫛歯状部分３，４の凹部３ａ…，４ａ…は、実施の形態では、鋸歯状である。
以上の横保持部材１の各部は、段ボール紙で形成されている。
【００２２】
５は下位のワークの縦保持部材で、側面視略逆Ｌ形をなし、縦基板６、これの上半部内面に固着された角筒状の支持枠７、該支持枠７の内面に固着された横桟状の櫛歯状部分８を備える。櫛歯状部分８には内方に所定ピッチで凹部８ａ…を備え、凹部８ａ…は内方から縦基板６方向に潜るように形成されており、その位置は前記凹部３ａ…，４ａ…と一致する。
【００２３】
図２は、収納箱内に下位の横保持部材及び縦部材をセットし、ワークを支持した状態の説明図で、収納箱の破断斜視図である。
収納箱１０は段ボール紙製で、底部１０ｃ上に前記した横保持部材１の横基板２を載せ、縦保持部材５の縦基板６の下端部６ａを横基板２の端部上に起立させ、且つ前後の壁の一方、例えば後壁１０ｂの内面に接着、或いはテープ等で固定する。
【００２４】
Ｌ形板状ワークは図で自動車のフェンダで、ワークＷ１…は下位のものとし、横片Ｗ１ａを下側横向きとし、縦片Ｗ１ｂは横片後部から起立している。各ワークＷ１は横片Ｗ１ａの下辺部の前後の部分を横保持部材１上に前後に配置した櫛歯状部分３，４の凹部３ａ…，４ａ…に係合支持させる。また縦片Ｗ１ｂの後辺部の高さ方向中間部を縦保持部材５の櫛歯状部分８の凹部８ａ…で係合支持させる。
以上により、複数枚のワークＷ１…を左右方向に並列して収納箱１０の下半部内に収納支持する。
【００２５】
以上においては、ワークＷ１…は横片Ｗ１ａの下辺部は、前後の部分が横保持部材１の前後の櫛歯状部分３，４の凹部で３ａ…，４ａ…に係合して支持され、又縦片Ｗ１ｂの後辺部は縦保持部材５の櫛歯状部分８の凹部８ａ…で係合して支持されているので、支持、保持が確実であり、また位置決めされて所定の位置に位置決めされて確実に支持、保持されることとなる。
ワークＷ１…の挿入は、横保持部材１及び縦保持部材５を収納箱にセットし、上から一枚づつ挿入することでなされ、凹部３ａ…，４ａ…，８ａ…の位置に合わせることで容易に行える。
従って、ワークＷ１…の収納作業は容易、且つ迅速に行なうことができる。
【００２６】
図３は、上位のワークの保持部材及び収納箱を示す分解斜視図である。
収納箱１０の左右の側壁１０ｄ，１０ｄの前後方向中間部には、高さ方向中間部まで達する大きな凹欠部１０ｅ，１０ｅを形成し、これの下縁部の前後方向中間部には内方に折曲した支持片１１，１１を設ける。
また前後の壁１０ａ，１０ｂの左右方向中間部には、高さ方向中間部まで達する大きな凹欠部１０ｆ，１０ｆを形成し、凹欠部１０ｆ，１０ｆの下部の左右には、矢印のように内側に折曲する支持片１２，１２，１３，１３を設け、これらの支持片１２，１２，１３，１３には係合凸部１２ａ，１３ａを夫々備える。
【００２７】
１５は上位のワークＷ２の縦片を保持する縦保持部材で、縦基板１６の上下に左右方向に延びる上下の櫛歯状部分１７，１８を備える。櫛歯状部分１７，１８は前記と同様の凹部１７ａ…，１８ａ…を備える。
この上位の縦保持部材１５は、図の鎖線に示すように前壁１０ａの内側に臨ませ、下部の櫛歯状部分１８の基部１８ｂに設けた係止孔を介して支持片１２，１２の係合凸部１２ａ，１２ａに上から係合し（図４参照）、前壁１０ａの内面に取付、支持する。
【００２８】
１９は上位のワークの横片支持部材である棚部材で、棚部材１９は角筒状の基部２０と、基部２０の左右に設けた係止棚２０ａ，２０ａと、上面の前後に設けた櫛歯状部分２１，２２とからなり、櫛歯状部分２１，２２には、前記と同様に凹部２１ａ…，２２ａ…が所定ピッチで設けられている。
この棚部材１９の基部２０の左右の係止棚２０ａ，２０ａを収納箱１０の左右の側壁１０ｄ，１０ｄに設けた支持片１１，１１上に係止し、収納箱１０の左右を横断するように高さ方向の中間部に該棚部材１９を架設する。
【００２９】
２３は上保持部材で、基板２４の下面の前後に下向きの２列の櫛歯状部分２５，２６を備え、各櫛歯状部分２５，２６には前記と同様の凹部２５ａ…、２６ａ…を備え、図では一方２５の凹部２５ａは表われて折らず、図４で示した。
２７は先部棚部材で、該部材２７は角筒状の基部２８と、これの上から内方に突出する棚部２９とからなり、基部２８に設けた係止孔２８ａ，２８ａを備え、収納箱１０の後壁１０ｂの前記した支持片１３，１３の係合凸部１３ａに係止孔２８ａ，２８ａを係合し、先部棚部材２７を後壁内の高さ方向中間部に支持する。
【００３０】
図４は、収納箱内にワークを並置しつつ上下に収納、保持した状態を示す縦断側面図である。
下位のワークＷ１は図２で説明した通りで、横片Ｗ１ａの下辺部の前後の２カ所が、下位の横保持部材１の櫛歯状部分３，４の凹部３ａ…，４ａ…に係合、保持され、縦片Ｗ１ｂの後辺部が縦保持部材５の櫛歯状部分８の凹部８ａ…に係合、保持される。
【００３１】
一方、上位のワークＷ２は、下位のワークＷ１とは対称で逆向きである。ワークＷ２は下方を向いた縦片Ｗ２ｂの後辺部を上位の縦保持部材１５の上下の櫛歯状部分１７，１８の凹部１７ａ…，１８ａ…に係合、支持され、上位の横片Ｗ２ａの下向きの上辺部は、棚部材１９の前後の櫛歯状部分２１，２２の凹部２１ａ…，２２ａ…に上から係合、支持される。
先部棚部材２７は、下位のワークＷ１の縦片Ｗ１ｂの上方に位置し、上位のワークＷ２の横片Ｗ２ａの先部を下方から支持する。
最後に上保持部材２３をワークＷ２の横片Ｗ２ａの上向きの下辺部の前後２カ所を、前後の櫛歯状部分２５，２６の凹部２５ａ…，２６ａ…で上から係合する。
【００３２】
以上のように、収納箱１０内において、上下のワークＷ１…、Ｗ２…は向きを逆向きとして対称に収納され、上下のワークＷ１…、Ｗ２…は相互に接触することなく並置されて収納され、保持部材１，５，１５，１９，２３の櫛歯状部分の凹部で平行して横並びに所定ピッチで位置決め、保持されて収納される。
下位の保持部材１は収納箱１０の底部上に載置すれば良く、また縦保持部材５は前後の壁の一方に固着すれば良く、上位の縦保持部材１５及び先部棚部材２７は前後の壁面の一方、他方に係止すれば良く、また棚部材１９は左右の側壁に架設すれば良く、これらの部材のセットは容易であり、又櫛歯状部分の凹部にワークＷ１…，Ｗ２…を挿入すれば良く、作業が容易である。
また上位の縦保持部材１５及び先部棚部材２７は収納箱の一部に設けた支持片に凸部を介して係合させるだけなので構造簡素に、部品を増やすことなくこれらを支持させることができ、また棚部材１９は左右の側壁に架設すれば良く、構造簡素に、部品を増やすことなくこれを支持させることができる。
【００３３】
【発明の効果】
本発明は上記構成により次の効果を発揮する。
請求項１は、略Ｌ形板状ワークの収納装置であって、段ボール紙製の収納箱の底部に配置され、所定ピッチを開けて横並びした複数の板状部材からなり、該収納箱内の下部に収納されるの略Ｌ形の下位の板状ワークの横片を支持する櫛歯状の下位の横保持部材と、収納箱の前後の内壁の一方に配置され、略Ｌ形の下位の板状ワークの上向きの縦片を支持する櫛歯状の下位の縦保持部材と、収納箱の高さ方向中間部に横架され、ワークと対称に配置され、該収納箱の上位に収納され、所定ピッチを開けて横並びした複数の上位の略Ｌ形の板状ワークの上位の横片を、下方から支持する櫛歯状の棚部材と、該上位のワークの下向きの縦片を支持し、収納箱の前後の内壁に他方に配置した櫛歯状の上位の縦保持部材とからなる。
【００３４】
請求項１では、複数枚のワークを横並びした下位のワーク群の個々のワークは、櫛歯状の下位の横保持部材と縦保持部材とで、横片部及び縦片部を凹状係合することで位置決めされて確実に保持され、また下位とは逆向き対称に配置した上位のワークは、収納箱に横架された櫛歯状の棚部材と上位の縦保持部材に横片部及び縦片部を凹状係合することで位置決めされて確実に保持され、上下のワークは向きを逆、対称に配置しつつ上下に離間して相互に接触することなく収納箱内に収納される。
従って、複数枚のワークを効率良く収納箱内に収納することができ、収納箱内に収納したワークも、個々のワークの位置決め、保持を、櫛歯状の凹部との係合で横片、縦片の夫々が容易に、確実になされ、収納箱内でワークが振動等でガタつくことがなく、安定して、確実に、Ｌ形板状ワークの正確な収納が行える。
【００３５】
また収納箱内において、下位のワークに対し上位のワークは棚部材で下位のものと干渉することなく位置決め収納することができるので、上下のワーク相互の接触は全く発生せず、運搬等で振動が付与されても、収納箱内のワークの上下のワーク及び隣接するワーク相互の接触は防止することができ、ワークの傷付を確実に防止することができる。
また本発明は、全てを段ボール紙のみで構成し、使用後の後処理が環境に優しく、使用後の再使用、再生上も有利であり、環境上においても好ましいものが得られる。
【００３６】
請求項２は、請求項１において、下位の横保持部材、上位の棚部材、上位の縦保持部材は、夫々櫛歯状部分を２列平行して有する。
【００３７】
請求項２では、請求項１の効果に加えるに、下位の横保持部材、上位の棚部材、上位の縦保持部材は、夫々櫛歯状部分を２列平行して有するので、上下のワークの横片、縦片は、夫々の辺の２カ所で凹状係合され、上下に各ワークの位置決め、保持が確実になされる。
【００３８】
請求項３は、請求項１において、棚部材は、前記収納箱の左右の側壁に凹状部に折曲した支持片でその両端部を支持するようにした。
【００３９】
請求項３では、請求項１の効果に加えるに、棚部材は、収納箱の左右の側壁に凹状部に折曲した支持片でその両端部を支持するようにしたので、収納箱の高さ方向中間部に確実に架設され、また棚部材は収納箱の側壁を折曲することで、支持されるので、棚部材の支持部材を別途必要としない。
従って、構造簡素に、最少の部品で棚部材支持構造を得ることができ、上位のワークの支持の確実化が図れる。
【００４０】
請求項４は、請求項１において、棚部材の上方に、上位のワークの横片の上部を支持する櫛歯状の上保持部材を前記収納箱の上部に横架設置した。
【００４１】
請求項４では、請求項１の効果に加えるに、棚部材の上方に上位のワークの横片の上部を支持する櫛歯状の上保持部材を収納箱の上部に横架設置したので、棚部材で支持された上位のワークの横片の上部は上保持部材で凹状係合保持される。
従って、複数枚並置した上位のワークの横片は、上下の辺が櫛歯状部で凹状係合され、上位のワークの横片の保持を強固、確実に行なうことができる。
【００４２】
請求項５は、請求項１において、上位のワークの横片の先部を下方から支持する先部棚部材を下位のワークの下位の縦片保持部材の上方に配置した。
【００４３】
請求項５は、請求項１の効果に加えるに、収納箱内において、先部棚部材で上位のワークの横片の先部を下方から支持するので、該ワークの横片の支持が、下位のワークと区画されてその上方において確実になされる。
従って、前後に長い上位のワークの横片全体を棚部材と併せて確実に、強固に支持することができる。
【００４４】
請求項６は、請求項１において、上位のワークの下向きの縦片の縦保持部材は、収納箱の内壁の一部に一体に設けた支持部で支持するようにした。
【００４５】
請求項６では、請求項１の効果に加えるに、上位のワークの下向きの縦片の縦保持部材は、収納箱の内壁の一部に一体に設けた支持部で支持するので、収納箱の一部に折曲等して支持部を形成して支持することができる。
従って、支持部を収納箱の壁の一部を折曲等するので、構造簡素に、部品を増やすことなく、簡素に支持構造を形成することができる。
【００４６】
請求項７は、請求項５において、前記上位のワークの先部棚部材は、前記収納箱の内壁の一部に一体に設けた支持部で支持するようにした。
【００４７】
請求項７では、収納箱内において、上位のワークの先部棚部材を収納箱の内壁の一部に一体に設けた支持部で支持するようにしたので、支持部は収納箱の壁の一部を折曲等して形成することができる。
従って、先部棚部材の支持部を収納箱の壁の一部を折曲等して形成するので、構造簡素に、部品を増やすことなく、簡素に支持構造を形成することができる。
【図面の簡単な説明】
【図１】下位のワークの横保持部材及び縦保持部材の斜視図
【図２】収納箱内に下位の横保持部材及び縦部材をセットし、ワークを支持した状態の説明図で、収納箱の破断斜視図
【図３】上位のワークの保持部材及び収納箱を示す分解斜視図
【図４】収納箱内にワークを並置しつつ上下に収納、保持した状態を示す縦断側面図
【符号の説明】
１…下位の横保持部材、  ３，４…櫛歯状部分、  ５…下位の縦保持部材、  ８…櫛歯状部分、  １０…収納箱、  １１…支持片、  １５…上位の横保持部材、  １７，１８…櫛歯状部分、  １９…棚部材、  ２１，２２…櫛歯状部分、  ２３…上保持部材  ２５，２６…櫛歯状部分、  ２７先部棚部材、  Ｗ１…下位のワーク、  Ｗ１ａ…横片、  Ｗ１ｂ…縦片、Ｗ２…下位のワーク、  Ｗ２ａ…横片、  Ｗ２ｂ…縦片。
【図１】
2004299687.tif 000003
【図２】
2004299687.tif 000004
【図３】
2004299687.tif 000005
【図４】
2004299687.tif 000006